(57)【要約】【課題】飛翔害虫の死骸により揮散性誘引剤を担持する薬剤担持部を汚染させることがなく、長期間使用できる害虫誘引防除装置を提供する。【解決手段】筐体２の内部であって、上部の位置に誘引剤含漬部材３があり、その真下の位置に仕切り部材５があり、さらにその真下の位置に死骸溜容器２０が配置されている。誘引剤含漬部材３にはコバエを誘引させる誘引剤３１が含漬されている。仕切り部材５は通気性を有するものの飛翔害虫が通過し得ない素材で作られている。仕切り部材５には、コバエが接触することによって致死または弱体化する接触性殺虫剤が塗布されている。コバエは誘引成分に引かれて害虫誘引防除装置１の近傍に集まり、さらに筐体２の下部空間２３に入る。コバエは誘引剤収容部２２を目指して高度を上げて仕切り部材５に接触し、力を失って落下する。落下したコバエは仕切り部材５の真下に設けられた死骸溜容器２０に落ちる。【選択図】図２
2015186461.tif 000002
【特許請求の範囲】
【請求項１】
筐体内に飛翔害虫を誘引させる誘引剤が収容された誘引剤収容部と、仕切り部材と、飛翔害虫の死骸を溜める死骸溜部が設けられ、
前記仕切り部材は、通気性を有するものの飛翔害虫が通過し得ない素材で作られており、前記仕切り部材には接触性殺虫剤が担持され、
前記誘引剤収容部と前記死骸溜部とは前記仕切り部材を介して通気可能であり、
前記死骸溜部は前記仕切り部材に触れた飛翔害虫が前記死骸溜部に落下するように前記仕切り部材の下方に設けられていることを特徴とする害虫誘引防除装置。
【請求項２】
筐体内であってその上部の位置に下面側の一部又は全部を除いて閉塞された空間が設けられて、該空間内に誘引剤収容部が設けられ、前記誘引剤収容部の直下に仕切り部材が設けられ、筐体内であってその下部に死骸溜部が設けられ、前記筐体の側面であって前記死骸溜部と前記仕切り部材の間の位置に害虫導入開口が設けられていることを特徴とする請求項１に記載の害虫誘引防除装置。
【請求項３】
死骸溜部は誘引剤収容部に対して分離可能であることを特徴とする請求項１又は２に記載の害虫誘引防除装置。
【請求項４】
筐体に閉止可能な開口が設けられ、当該開口を開いて誘引剤収容部に誘引剤を充填可能であることを特徴する請求項１乃至３のいずれかに記載の害虫誘引防除装置。
【発明の詳細な説明】
【技術分野】
【０００１】
本発明は、家屋内に設置して蚊、コバエ等の飛翔性の小型（体長０．５〜５ｍｍ程度）昆虫（以下、飛翔害虫と記す）や不快害虫を駆除する害虫誘引防除装置に関するものである。
【背景技術】
【０００２】
コバエ等の飛翔害虫を駆除する目的で、飛翔害虫を揮散性誘引剤により装置の内部に誘引し、殺虫剤の効果により誘引した飛翔害虫を駆除する装置が知られている（例えば、特許文献１〜３）。
【０００３】
特許文献１には、開口部を有する容器内に、害虫誘引剤を含有した多数のゲル粒が層状に収容された害虫捕獲器が開示されている。当該ゲル粒には誘引性に影響を与えない範囲で各種殺虫成分を添加してもよいことが記載されている。当該ゲル粒に含有された害虫誘引剤により、ハエやコバエ等が開口部より侵入し、当該ゲル粒の層内部に潜り込み、その際に粘着性を有するゲル粒により身動きがとれなくなったり、ゲル粒に含有している殺虫成分により死に至る。
特許文献２には、飛翔害虫が誘引される誘引部と、誘引部を支持するベース部と、飛翔害虫の誘引成分が保持された薬液保持部を収容するトレイ部と、内部に行くほど幅狭になる開口部を備えた飛翔害虫捕獲装置が開示されている。
特許文献３には、筐体内に誘引物質と殺虫剤を配置し、当該誘引物質によって誘引した飛翔害虫を殺虫剤に接触させるか、あるいは飛翔害虫に殺虫剤を摂取させる飛翔害虫誘因防除装置が開示されている。
【先行技術文献】
【特許文献】
【０００４】
【特許文献１】特開２０１０−５７５０２号公報
【特許文献２】特開２０１２−１３９２０２号公報
【特許文献３】特開２０１２−１５３１号公報
【発明の概要】
【発明が解決しようとする課題】
【０００５】
特許文献１〜３に記載された飛翔害虫の捕獲装置では、捕獲装置内にて死んだ飛翔害虫の死骸は、飛翔害虫を誘引する誘引剤が担持された誘引部に残るため、誘引部が飛翔害虫の死骸により汚染されてしまう。飛翔害虫の誘引剤としては、一般的に酒、ビール、ワイン、食酢、果実エキス等の食品類を使用されることが多いが、これらの食品類が飛翔害虫の死骸により汚染されることで変性してしまうことがあり、捕獲装置を長期間使用できなくなる場合がある。
【０００６】
そこで本発明は、害虫の死骸により誘引剤を担持する誘引剤収容部を汚染させることがなく、長期間使用が可能な害虫誘引防除装置を提供することを目的とする。
【課題を解決するための手段】
【０００７】
上記した課題を解決するための請求項１に記載の発明は、筐体内に飛翔害虫を誘引させる誘引剤が収容された誘引剤収容部と、仕切り部材と、飛翔害虫の死骸を溜める死骸溜部が設けられ、前記仕切り部材は、通気性を有するものの飛翔害虫が通過し得ない素材で作られており、前記仕切り部材には接触性殺虫剤が担持され、前記誘引剤収容部と前記死骸溜部とは前記仕切り部材を介して通気可能であり、前記死骸溜部は前記仕切り部材に触れた飛翔害虫が前記死骸溜部に落下するように前記仕切り部材の下方に設けられていることを特徴とする害虫誘引防除装置である。
【０００８】
本発明の害虫誘引防除装置では、筐体内に飛翔害虫を誘引させる誘引剤が収容された誘引剤収容部と、仕切り部材とが設けられ、仕切り部材に接触性殺虫剤が担持されている。また、当該仕切り部材が、通気性を有するものの飛翔害虫が通過し得ない素材で作られている。本発明の害虫誘引防除装置によれば、飛翔害虫を誘引剤に接触させることなく誘引し、接触性殺虫剤に接触させることができる。そのため、誘引剤が飛翔害虫の死骸で汚染されることがない。
なお本発明の害虫誘引防除装置では、誘引剤収容部に誘引剤が保持されるが、誘引剤は、液状のままで保持されていてもよく、液状の誘引剤が何らかの担体に含漬された状態で保持されていてもよい。
【０００９】
また請求項２に記載の発明は、筐体内であってその上部の位置に下面側の一部又は全部を除いて閉塞された空間が設けられて、該空間内に誘引剤収容部が設けられ、前記誘引剤収容部の直下に仕切り部材が設けられ、筐体内であってその下部に死骸溜部が設けられ、前記筐体の側面であって前記死骸溜部と前記仕切り部材の間の位置に害虫導入開口が設けられていることを特徴とする請求項１に記載の害虫誘引防除装置である。
【００１０】
本発明の害虫誘引防除装置では、筐体内であってその上部に空間が設けられている。この空間は、下面側の一部又は全部を除いて閉塞され、下面の一部又は全部は仕切り部材により下方の空間と仕切られている。そして該空間内に誘引剤収容部が設けられている。そのため誘引剤収容部から放散された誘引成分は、上部側からは放出されず、専ら下面側から放出される。
ここで本発明の害虫誘引防除装置では、誘引剤収容部の直下に仕切り部材があるから、誘引成分は、仕切り部材を抜けて下方に拡散する。ここで本発明の害虫誘引防除装置では、筐体の側面であって、前記死骸溜部と仕切り部材の間の位置に害虫導入開口が設けられている。そのため誘引成分等は害虫導入開口から筐体の外に放散する。
飛翔害虫は、誘引成分により害虫導入開口から筐体内に入る。そして飛翔害虫は、誘引成分の濃度の高い上方に移動して、仕切り部材に触れる。その結果、飛翔害虫は、仕切り部材に担持された接触性殺虫剤に触れ、運動麻痺状態となって落下し、死骸溜部に入る。
また本発明の害虫誘引防除装置は、死骸溜部が筐体内にあるから、飛翔害虫の死骸が使用者の目に触れることがない。
【００１１】
請求項３に記載の発明は、死骸溜部は誘引剤収容部に対して分離可能であることを特徴とする請求項１又は２に記載の害虫誘引防除装置である。
【００１２】
本発明によると、飛翔害虫の死骸を容易に処理することができる。
【００１３】
請求項４に記載の発明は、筐体に閉止可能な開口が設けられ、当該開口を開いて誘引剤収容部に誘引剤を充填可能であることを特徴する請求項１乃至３のいずれかに記載の害虫誘引防除装置である。
【００１４】
本発明の害虫誘引防除装置では、誘引剤を補充することができる。そのため害虫誘引防除装置を長期間に渡って使用することができる。
【発明の効果】
【００１５】
本発明の害虫誘引防除装置によれば、飛翔害虫を誘引剤に接触させることなく誘引し、接触性殺虫剤に接触させることができる。そのため、誘引剤が飛翔害虫の死骸で汚染されることがない。
【図面の簡単な説明】
【００１６】
【図１】本発明の実施形態の害虫誘引防除装置の斜視図である。
【図２】図１に示す害虫誘引防除装置の内部構造を示す斜視図である。
【図３】図１に示す害虫誘引防除装置の内部構造を示す断面図である。
【図４】本発明の他の実施形態の害虫誘引防除装置の斜視図である。
【図５】本発明のさらに他の実施形態の害虫誘引防除装置の斜視図である。
【図６】本発明のさらに他の実施形態の害虫誘引防除装置の正面図である。
【図７】図６に示す害虫誘引防除装置の内部構造を示す断面図である。
【図８】仕切り部材の素材の一例を示す拡大斜視図である。
【発明を実施するための形態】
【００１７】
以下さらに本発明の実施形態について説明する。
図１に示す害虫誘引防除装置１は、外形形状が、四角柱状の筐体２を有している。そして図２の様に、当該筐体２内に、誘引剤含漬部材３と、仕切り部材５及び死骸溜容器２０が内蔵されている。
筐体２は、樹脂や紙等で作られたものであり、正面壁１０、背面壁１１、左側面壁１２、右側面壁１３、天面壁１５及び底面壁１６を有している。
筐体２の正面壁１０の中程には、害虫導入開口１７が設けられている。本実施形態で採用する害虫導入開口１７は、横長の長方形である。
また正面壁１０の下部には、死骸溜容器２０を挿入する容器挿入開口２１が設けられている。
【００１８】
筐体２の天面壁１５には、開口１８が設けられている。開口１８には、常時、蓋７が取り付けられている。
【００１９】
筐体２の内部には、図２の様に仕切り部材５があり、当該仕切り部材５によって、筐体２の内部は、二つの空間に仕切られている。
筐体２の上部空間は、誘引剤含漬部材３が設置される空間であり誘引剤収容部２２として機能する。また誘引剤収容部２２の下は、飛翔害虫が飛ぶ空間及び死骸溜容器２０が設置される下部空間２３となっている。
誘引剤収容部２２は、筐体２の正面壁１０、背面壁１１、左側面壁１２、右側面壁１３、天面壁１５によって５面が覆われており、仕切り部材５が取り付けられた下面だけが開放されている。
従って誘引剤収容部２２は、上部側が実質的に密閉された空間であり、下部側だけが開放されている。
【００２０】
次に仕切り部材５について説明する。仕切り部材５は、通気性を有し、且つ接触性殺虫剤を担持することが可能なシート状物である。
仕切り部材５は、例えば網、小さな開口を有する樹脂板、格子状の樹脂シート、布、和紙等の様な通気性を有する素材で作られている。
仕切り部材５は、通気性を確保するために何らかの開口を有しているが、飛翔害虫は該開口を通過することができない。飛翔害虫がコバエである場合は、仕切り部材５における開口は、１ｍｍ以下であることが好ましい。
【００２１】
仕切り部材５は、主面が天地方向に向いた平置きであって、その面が水平となる様に設置されていることが望ましいが、ある程度の傾斜があってもよい。
仕切り部材５の設置位置は、害虫導入開口１７よりも上方である。
【００２２】
次に誘引剤含漬部材３について説明する。誘引剤含漬部材３は、吸液性を有する素材からなり、液状の誘引剤を含漬させることができるものである。そのような素材としては、不織布、和紙、コットンリンター等の素材が挙げられる。
誘引剤含漬部材３は誘引剤収容部２２の中にあって、保持部材２５によって、中空に支持されている。
従って、誘引剤含漬部材３の真下の位置であって、やや離れた位置に前記した仕切り部材５がある。
【００２３】
死骸溜容器２０は、上面が開口し、他の５面が覆われた箱である。死骸溜容器２０は、引き出しの様な形状・構造であり、筐体２の容器挿入開口２１から筐体２の下部空間２３に挿入されている。
また死骸溜容器２０は前記した様に引き出しと同様の構造をしており、把手３０をもって引くことにより、筐体２から引き出して取り外すことができる。死骸溜容器２０を、誘引剤収容部２２及び仕切り部材５が設けられた筐体２から分離することができる。
【００２４】
本実施形態の害虫誘引防除装置１の構造を概観すると、筐体２の内部であって、上部の位置に誘引剤含漬部材３があり、その真下の距離をおいた位置に仕切り部材５があり、さらにその真下の位置に死骸溜容器２０が配置されている。
また仕切り部材５は、害虫導入開口１７よりも上方に取り付けられている。誘引剤含漬部材３は、仕切り部材５側を除いて密閉された誘引剤収容部２２内に置かれている。
誘引剤含漬部材３には、飛翔害虫（例えば、コバエ）を誘引させる誘引剤３１が含漬されている。誘引剤３１は、飛翔害虫が好む誘引成分を放散させるものである。誘引剤３１の具体的内容については後記する。
仕切り部材５には、飛翔害虫が接触することによって運動麻痺する接触性殺虫剤が担持されている。接触性殺虫剤は、仕切り部材５に塗布又は含浸されており、仕切り部材５に飛翔害虫が触れると、飛翔害虫は運動麻痺状態となる。接触性殺虫剤の具体的内容については後記する。
【００２５】
本実施形態の害虫誘引防除装置１では、接触性殺虫剤が塗布された仕切り部材５は、筐体２の中にあって外には露出しない。
また害虫誘引防除装置１を使用する際においては、筐体２の開口は、害虫導入開口１７のみである。そして仕切り部材５は害虫導入開口１７よりも上方にある。
そのため通常の状態では、使用者の手指が仕切り部材５に触れることはない。
【００２６】
次に本実施形態の害虫誘引防除装置１の機能について説明する。本実施形態の害虫誘引防除装置１は、飛翔害虫が集まる室内又は室外に設置する。具体的には、生ゴミを入れるごみ箱、食品庫、植木鉢、動物ケージの周囲等に害虫誘引防除装置１を置くことが望ましい。
害虫誘引防除装置１では、誘引剤収容部２２内の誘引剤含漬部材３に飛翔害虫を誘引させる誘引剤３１が含漬されている。誘引剤３１は、飛翔害虫が好む誘引成分を放散させるものである。誘引剤収容部２２は、下部に設けられた仕切り部材５の微小な開口を介してのみその外部と連通しているから、誘引成分は、仕切り部材５を経由して筐体２の下部空間２３に拡散して下部空間２３内に充満する。そしてさらに誘引成分は、下部空間２３に設けられた害虫導入開口１７から筐体２の外に拡散する。
【００２７】
仕切り部材５には、飛翔害虫が接触することによって運動麻痺する接触性殺虫剤が塗布されている。そのため飛翔害虫は、接触性殺虫剤に接触し、落下する。
【００２８】
落下した飛翔害虫は、仕切り部材５の真下に設けられた死骸溜容器２０に収容される。
本実施形態においては、死骸溜容器２０が筐体２内にあり、害虫誘引防除装置１を使用する際においては、筐体２の開口は、害虫導入開口１７のみである。そのため、筐体が不透明である場合には、死骸溜容器２０に飛翔害虫の死骸が溜まっても、外からは見えにくく、使用者に不潔感を感じさせない。
本実施形態で採用する仕切り部材５は、通気性はあるが、飛翔害虫は通過することができない。そのため飛翔害虫は誘引剤含漬部材３に達することなく落下し、死骸溜容器２０に落ちる。
そのため誘引剤含漬部材３が飛翔害虫の死骸で汚染されることはない。
【００２９】
また死骸溜容器２０に溜まった死骸についても、誘引剤３１は付着せず、乾燥した状態となるので、不潔感が無い。
死骸が溜まったら、死骸溜容器２０を引き出し、筐体２から取り外し、死骸溜容器２０を裏返してコバエの死骸を廃棄する。
これら一連の作業においては、作業者の手指が仕切り部材５や、誘引剤含漬部材３に触れることがない。そのため使用者が不潔感を感じることはない。
【００３０】
また誘引剤含漬部材３に含漬された誘引剤３１が使用し尽くされ、飛翔害虫に対する誘引効果が衰えてきたら、筐体２の天面壁１５に取り付けられた蓋７を外し、開口１８から誘引剤３１を補充することができる。その結果、本害虫誘引防除装置を長期間使用することが可能となる。
【００３１】
以上説明した実施形態では、筐体２の形状として四角柱状のものを例示したが、筐体２の形状は任意である。
例えば、図４に示す害虫誘引防除装置５０で採用する筐体５１の様な角錐や、円筒形、あるいはキャラクターや建造物、動物を模した形状のものであってもよい。
図４に示す害虫誘引防除装置５０は、四角錐状の筐体５１を採用しており、その中の上部に、誘引剤含漬部材５３が配されている。また誘引剤含漬部材５３の真下の位置に仕切り部材５５が設けられている。さらに仕切り部材５５の真下の位置に、死骸溜容器５６がある。
本実施形態では、筐体５１の断面積が下に行く程広くなる。特に仕切り部材５５の面積に対して死骸溜容器５６の開口が大きい。そのため落下する死骸を死骸溜容器５６で受け止め易い。
【００３２】
また上記した実施形態では、害虫導入開口１７を一個だけ設けたが、複数設けてもよい。例えば図４に示す害虫誘引防除装置５０の様に、各面に害虫導入開口５７を設けてもよい。
【００３３】
さらに害虫導入開口をさらに広く設計してもよい。
図５に示す害虫誘引防除装置６０は、枠状の支持部材６７によって誘引剤収容部６１を支持する構造となっている。
【００３４】
図６，図７は、筐体２の形状を人形に模した例を示す。害虫誘引防除装置８０では、口の部分が害虫導入開口８１となっており、腹のポケットが死骸溜部８２となっている。また害虫誘引防除装置８０の本体８３の内部であって上部に、誘引剤含漬部材７５が配されている。また誘引剤含漬部材７５の真下の位置に仕切り部材７６が設けられている。
【００３５】
仕切り部材は、平面的なものに限らず、立体的な組織構造を有するものであってもよい。図８は立体構造の担体の組織を例示するものである。
【００３６】
本発明において、防除対象となる害虫としては、例えば飛翔性の小型昆虫であり、体長は０．５〜５ｍｍ程度である。当該小型昆虫としては、例えばイエカ類や所謂コバエと称される小型のハエ類が挙げられる。具体的には、キイロショウジョウバエ等のショウジョウバエ類、クロバネキノコバエ類、キノコバエ類、オオキモンノミバエ、コアシキノミバエ、オオアカノミバエ等のノミバエ類、オオチョウバエ、ホシチョウバエ等のチョウバエ類、カバエ類、ニセケバエ類等が挙げられる。
【００３７】
本実施形態で採用する接触性殺虫剤としては、例えば、ピレスロイド系化合物、有機リン系化合物等に属する殺虫剤を用いることができる。
【００３８】
ピレスロイド系化合物の例としては、アクリナトリン、アレスリン、ベータ−シフルトリン、ビフェントリン、シクロプロトリン、シフルトリン、シハロトリン、シペルメトリン、エンペントリン、デルタメトリン、エスフェンバレレート、エトフェンプロックス、フェンプロパトリン、フェンバレレート、フルシトリネート、フルフェンプロックス、フルメトリン、フルバリネート、ハルフェンプロックス、イミプロトリン、ペルメトリン、プラレトリン、ピレトリン、レスメトリン、シグマ−サイパーメトリン、シラフルオフェン、テフルトリン、トラロメトリン、トランスフルトリン、テトラメトリン、フェノトリン、シフェノトリン、アルファシペルメトリン、ゼータシペルメトリン、ラムダシハロトリン、ガンマシハロトリン、フラメトリン、タウフルバリネート、メトフルトリン、メパフルトリン、ジメフルトリン、
２,３,５,６−テトラフルオロ−４−（メトキシメチル）ベンジル＝２,２−ジメチル−３−［２−シアノ−１−プロペニル］シクロプロパンカルボキシレート）（以下、モンフルトリンと記す）、
２,３,５,６−テトラフルオロ−４−（メトキシメチル）ベンジル＝２,２−ジメチル−３−［（１Ｚ）−３,３,３−トリフルオロ−１−プロペニル］シクロプロパンカルボキシレート）、
２,３,５,６−テトラフルオロ−４−メチルベンジル＝２,２−ジメチル−３−（１−プロペニル）シクロプロパンカルボキシレート、
２,３,５,６−テトラフルオロ−４−（メトキシメチル）ベンジル＝２,２−ジメチル−３−（２−メチル−１−プロペニル）シクロプロパンカルボキシレート、
２,３,５,６−テトラフルオロ−４−（メトキシメチル）ベンジル＝２,２,３,３−テトラメチルシクロプロパンカルボキシレート、
２,３,５,６−テトラフルオロ−４−（２−プロピニル）ベンジル＝２,２,３,３−−テトラメチルシクロプロパンカルボキシレート等が挙げられる。
【００３９】
これらのピレスロイド化合物は、一種のみで、又は、二種以上を組み合わせて使用できる。また、上記化合物の中には、光学異性体、立体異性体、又は幾何異性体等が存在するものもあるが、本発明のピレスロイド化合物には、活性な異性体及びその混合物が、含まれる。
【００４０】
有機リン系化合物の例としては、アセフェート、クロルピリホス、クロルピリホスメチル、シアノホス、ダイアジノン、ジクロフェンチオン、ジクロルボス、フェンチオン、フエニトロチオン、マラチオン、ピラクロホスなどが挙げられる。
【００４１】
次に本実施形態で使用する誘引剤について説明する。
誘引剤としては、例えば、フルーツ系香料、発酵食品系香料等の各種香料；酒類；食酢類；酢酸、プロピオン酸等の各種有機酸；乳製品、乾燥酵母、酒粕等が挙げられる。誘引剤については１種のみを用いてもよいし、２種以上を併用してもよい。
【実施例】
【００４２】
製造例１
上部に直径約２８ｍｍの取り外し可能な蓋を有する、内径約６０ｍｍ、高さ約１３０ｍｍの円筒形状の透明樹脂（ポリエチレンテレフタレート）製容器を筐体として、容器内部上面から６０ｍｍ下の位置に、直径６０ｍｍの円形形状のパルプ製不織布シート（パルプ製不織布、メートル坪量６００ｇ／ｍ2、厚さ４ｍｍ、王子キノクロス株式会社製）の誘引剤保持担体を設置面と平行になるように固定した。更に、該誘引剤保持担体の下方１５ｍｍの位置に、直径６０ｍｍの円形形状の通気性不織布シート（ポリエチレンテレフタレート及びパルプ製不織布、メートル坪量４００ｇ／ｍ2、厚さ４．８ｍｍ、王子キノクロス株式会社製）の仕切り部材を同様に設置面と平行になるように固定した。また、該容器の側面に、縦１５ｍｍ、横１０ｍｍの長方形状の開口部（開口中央部が容器底面から４０ｍｍ上の位置）を等間隔に６箇所設けた。
次いで、該誘引剤保持担体にワイン、醸造酢および水からなる誘引剤１２ｇを含浸させ、該仕切り部材にモンフルトリンの０．１％ケロセン溶液を含浸させて、本発明の害虫誘引防除装置１を作成した。
【００４３】
試験例１
１００メッシュナイロンゴースで６面を覆った一辺５０ｃｍの立方体のケージを準備し、該ケージの床面の中央に、上記の害虫誘引防除装置１を１個設置した。更に、害虫誘引防除装置１の横に５％砂糖水２０ｍＬを含浸させた脱脂綿を入れた蓋無し容器を設置した。
該ケージ内に、キイロショウジョウバエ１１０頭を放ち、４４時間後に害虫誘引防除装置１の内部に誘引されて死骸溜部にて致死した虫数を数えた。その結果、放った虫数に対して、約７５％の虫が死骸溜部にて致死していた。
【符号の説明】
【００４４】
１，５０，６０，８０  害虫誘引防除装置
２，５１  筐体
３，５３，７５  誘引剤含漬部材
５，５５，７６  仕切り部材
１７，５７，８１  害虫導入開口
２０，５６  死骸溜容器
２２，６１  誘引剤収容部
３１  誘引剤
８２  死骸溜部
【図１】
2015186461.tif 000003
【図２】
2015186461.tif 000004
【図３】
2015186461.tif 000005
【図４】
2015186461.tif 000006
【図５】
2015186461.tif 000007
【図６】
2015186461.tif 000008
【図７】
2015186461.tif 000009
【図８】
2015186461.tif 000010